(57)【特許請求の範囲】
【請求項１】
背凭れと前後にスライドする座とを備えたソファにおいて、
前記座は座面部と当該座面部よりも後方に突出する突出部を備え、
前記背凭れと突出部とが伸縮性を備えた連結材で連結され、
前記突出部は、前記座が後方に下がった位置にあるときは背凭れの内部に形成された背内部空間に収まり、前記座が前方にスライドすると前記背内部空間から引き出され、
前記背内部空間から引き出された突出部を座面部の一部として利用することができる、
ことを特徴とするソファ。
【請求項２】
請求項１記載のソファにおいて、
突出部は、座が後方に下がった位置にあるときは背凭れの下方の背内部空間に丸まった状態で収まる、
ことを特徴とするソファ。
【請求項３】
請求項１又は請求項２記載のソファにおいて、
背内部空間から引き出された突出部によって背凭れと座の間に生じる隙間が覆われる、
ことを特徴とするソファ。
【請求項４】
請求項１から請求項３のいずれか１項に記載のソファにおいて、
座は前後にスライド可能な座枠に支持され、
前記座枠に、引き出された突出部を下から支持する支持材が設けられた、
ことを特徴とするソファ。
【請求項５】
請求項４記載のソファにおいて、
支持材は座が後方に下がった位置にあるときは当該座の後方に起立した状態で収納され、
前記支持材は前記座が前方にスライドすると所定位置まで後傾し、
前記後傾した支持材によって突出部が支持される、
ことを特徴とするソファ。
【発明の詳細な説明】
【技術分野】
【０００１】
本発明は、背凭れと座を備えたソファに関し、より詳しくは、前後にスライドする座を備えたソファに関する。
【背景技術】
【０００２】
従来、背凭れと前後にスライドする座を備えたものが知られている（特許文献１〜３）。このソファは、座を前方にスライドさせることで座の奥行長を深くすることができ、足をのばしてくつろぐことができる。
【０００３】
前記特許文献１のようなソファのほか、足をのばしてくつろぐことのできるソファとして、前後方向に長い座を備えたシェーズロングと呼ばれるソファも知られている（特許文献４）。このソファは、座が前後に長いため、座を前方にスライドさせることなく、足をのばしてくつろぐことができる。
【先行技術文献】
【特許文献】
【０００４】
【特許文献１】特開２００２−２３８７００号公報
【特許文献２】特開平１０―２２５３３７号公報
【特許文献３】特開２００１−２３１６５８号公報
【特許文献４】特開２０１０−１２５１９７号公報
【発明の概要】
【発明が解決しようとする課題】
【０００５】
前記特許文献１〜３のような座を前方にスライドさせるタイプのソファは、背凭れの下側に収まった部分を引き出すことで座の奥行長を深くする構造であるため、背凭れの厚さ以上に座の奥行長を深くすることはできなかった。
【０００６】
前記特許文献４のような前後方向に長い座を備えたシェーズロングタイプのソファであれば、特許文献１のような問題は生じないが、スライドさせられるタイプのソファのように座を背凭れの下側に収納することができないため、場所をとるという難点がある。
【０００７】
本発明はかかる事情に鑑みてなされたものであり、その解決課題は、背凭れの厚さ以上に座の奥行長を深くすることができ、不使用時にはコンパクトにすることができるソファを提供することにある。
【課題を解決するための手段】
【０００８】
本発明のソファは、背凭れと前後にスライドする座とを備えたソファである。座は座面部と当該座面部よりも後方に突出する突出部を備え、背凭れと突出部とが伸縮性を備えた連結材で連結されている。突出部は、座が後方に下がった位置にあるときは背凭れの内部に形成された背内部空間に収まり、座が前方にスライドすると背内部空間から引き出され、背内部空間から引き出された突出部を座面部の一部として利用することができるように構成されている。
【発明の効果】
【０００９】
本発明のソファは座面部よりも後方に突出する突出部を備え、使用時には当該突出部を引き出して座面部の一部として利用することができ、不使用時には当該突出部を背内部空間に収容することができるため、背凭れの厚さ以上に座の奥行長を深くしたり、コンパクトにしたりすることができる。
【図面の簡単な説明】
【００１０】
【図１】（ａ）は本発明のソファの一例を示すものであって、座が後方に下がった状態の斜視図、（ｂ）は座を前方に引き出した状態の斜視図。
【図２】本発明のソファの枠体の分解説明図。
【図３】ガイドレールと後ろローラー部分の詳細説明図
【図４】座が後方に下がった位置にある状態の縦断面図。
【図５】（ａ）は座が最後方に下がった位置にある場合の断面説明図、（ｂ）は座を前方に半分程度スライドさせた状態の断面説明図、（ｃ）は座を最前方までスライドさせた状態の断面説明図。
【図６】（ａ）は本発明のソファの使用状態の一例を示す側面図、（ｂ）は本発明のソファの使用状態の一例を示す平面図。
【図７】（ａ）は座を手動でスライドさせられるようにした場合の座枠の一例を示す説明図、（ｂ）は（ａ）の座枠に沿って移動する座の一例を示す説明図。
【図８】（ａ）は座を手動でスライドさせられるようにした場合の他例を示す説明図、（ｂ）は（ａ）のストッパーの詳細説明図。
【図９】（ａ）は図８（ａ）に示すソファの座がロックされた状態を示すもの、（ｂ）はハンドルが引かれた状態を示すもの、（ｃ）は座を先方にスライドさせた状態を示すもの。
【図１０】（ａ）は座を手動でスライドさせられるようにした場合の他例を示す説明図、（ｂ）はガイドレールとローラーの位置関係を示す説明図。
【発明を実施するための形態】
【００１１】
（実施形態）
本発明のソファの実施形態の一例を、図面を参照して説明する。一例として図１及び図２に示すソファは、枠体１０、スライド手段２０、座３０、背凭れ４０及び袖５０を備えている。
【００１２】
前記枠体１０は、座３０を支持する座枠部１１と、スライド手段２０を支持する下枠部１２と、下枠部１２に立設された二枚の縦枠部１３と、縦枠部１３の上部に設けられた背枠部１４と、縦枠部１３及び背枠部１４の背面に設けられた後面部１５を備えている。
【００１３】
この実施形態の座枠部１１は、前板１１ａと、前板１１ａの長手方向両端から後ろ向きに設けられた側板１１ｂと、両側板１１ｂの後端側を連結する後ろ板１１ｍ（図４）を備え、両側板１１ｂの間であって後ろ板１１ｍの上面には後方板１１ｃが設けられている。左右の側板１１ｂの間には、前ローラー１１ｄを取り付けるローラー取付け材１１ｅと、スライド手段２０の駆動ブロック（スライダー）２３を取り付けるブロック取付け材１１ｆが前後に間隔をあけて設けられている。
【００１４】
左右の側板１１ｂの間であってローラー取付け材１１ｅとブロック取付け材１１ｆの間には、いわゆるＳバネ（スプリング）１１ｇが架設されている。前記ローラー取付け材１１ｅには二つの前ローラー１１ｄが長手方向に間隔をあけて取り付けられ、各側板１１ｂの後端側には後ろローラー１１ｈが取り付けられている。
【００１５】
前記座枠部１１の左右の側板１１ｂの後端側には、後述する座３０の突出部３２を下から支持する支持材（以下「突出部サポート」という）１１ｉが設けられている。この実施形態の突出部サポート１１ｉは、二本の脚部の上端側に支持部を備えた下向きコ字状の部材である。突出部サポート１１ｉは、各脚部の下端よりの個所が座枠部１１の後部に後ろ向きに突設されたブラケット１１ｊに取り付けられている。
【００１６】
突出部サポート１１ｉの各脚部の下端側には、一端側が側板１１ｂの内面に固定されたスプリング１１ｋの他端側が連結されている。このスプリング１１ｋは縮む方向に付勢されており、突出部サポート１１ｉの各脚部の下端側が前方に引き寄せられ、上端側が後傾するようにしてある。突出部サポート１１ｉの各脚部の下端側は、後ろ板１１ｍ（図４）に設けられたストッパー１６で支持され、所定角度以上に突出部サポート１１ｉの上端側が後傾しないようにしてある。
【００１７】
図２及び図４に示すように、この実施形態のストッパー１６は、平板状の取付け面１６ａの下側に平板状の支持面１６ｂが連続する側面視く字状のプレートである。ストッパー１６は、取付け面１６ａが座枠部１１の後部に取り付けられ、支持面１６ｂが前方側に突出するようにしてある。突出部サポート１１ｉの各脚部は下端側が支持面１６ｂの背面側に当接することで、突出部サポート１１ｉの支持部側がそれ以上後傾しないように支持される。
【００１８】
この実施形態では、ストッパー１６で支持された突出部サポート１１ｉが２０度程度後傾するようにしてある。突出部サポート１１ｉは、座３０が最後方に位置するときには、後面部１５に当接して座３０の後方（座３０と後面部１５の間）に起立した状態で収まる。一方で、座３０が前方に移動すると突出部サポート１１ｉが後面部１５から離れて後傾し、両脚部が支持面１６ｂに当接したところで停止する。突出部３２は後傾位置で停止した突出部サポート１１ｉによって下から支持される。
【００１９】
この実施形態では、座３０が最前方までスライドすると、座３０と背凭れ４０の間に生じる隙間が背内部空間１４ｄから引き出された突出部３２によって覆われるようにしてある。このようにすることで、座３０と背凭れ４０の間に幼児の手足が挟まるなどの事故を防止することができる。
【００２０】
前記下枠部１２は、座３０の一部を構成する部材である。この実施形態の下枠部１２は、前後方向に間隔をあけて平行に設けられたベース前部材１２ａ及びベース後部材１２ｂと、ベース前部材１２ａとベース後部材１２ｂの間にこれらと平行に設けられたベース中部材１２ｃと、ベース前部材１２ａ、ベース中部材１２ｃ及びベース後部材１２ｂの長手方向両端側に設けられたガイドレール１２ｄを備えている。
【００２１】
図３に示すように、両ガイドレール１２ｄは後ろローラー１１ｈが走行する部分である。両ガイドレール１２ｄには下向きＬ字状のレールカバー１２ｅが設けられ、当該ガイドレール１２ｄとレールカバー１２ｅの間に後ろローラー１１ｈが収まるようにしてある。
【００２２】
前記ベース前部材１２ａの長手方向両端には、袖５０や他のソファとの連結に用いる取付けフランジ１２ｆが立ち上げられている。ベース後部材１２ｂとベース中部材１２ｃの長手方向中央にはモーターを保持するモーター架台１５ａを取り付けるための取付け座１２ｇが設けられ、当該取付け座１２ｇにモーター架台１５ａが溶接により取り付けられている。ベース前部材１２ａ及びベース後部材１２ｂは鋼管であり、それぞれの長手方向両端の裏面にはアジャスタ１２ｈが設けられている。
【００２３】
前記縦枠部１３は、内側に長方形状の抜き孔１３ａを備えた縦長方形状の板材である。縦枠部１３の下端側にはガイドレール１２ｄと連結する下連結部１３ｂが、上端側には背枠部１４と連結する上連結部１３ｃが設けられている。縦枠部１３の後端側には後面部取付け部１３ｄが内向きに突設されている。後面部取付け部１３ｄには、ソファの幅方向に細長い平板状の後面部１５（カバーべニア板）が取り付けられている。後面部１５の前面側には、後面部１５の強度を高めるために、モーター架台１５ａが固定されている。
【００２４】
前記縦枠部１３は左右のガイドレール１２ｄのそれぞれに一枠ずつ設けられている。両縦枠部１３の間にはパイプ材１３ｅが架設されている。パイプ材１３ｅはそれぞれの縦枠部１３の内面に突設された軸ピン１３ｆで回転自在に軸支されている。
【００２５】
前記背枠部１４は、背凭れ４０の一部を構成する部材である。この実施形態の前記背枠部１４は、ソファの幅方向に間隔をあけて対向配置された背枠側部板１４ａと、両背枠側部板１４ａの前端側に架設された前端架設板１４ｂを備えている。背枠側部板１４ａは、平坦面の前方側に傾斜面が連続して設けられた平板材である。両背枠側部板１４ａの平坦面には、ソファの幅方向に細長の背枠上面板１４ｃが設けられている。前端架設板１４ｂと両背枠側部板１４ａの内側には、丸まった状態の突出部３２を収容可能な背内部空間１４ｄが形成されている。背枠上面板１４ｃの上面には、ヒンジ金具１４ｅを介して可動枠１４ｆが設けられている。
【００２６】
前記スライド手段２０は、座３０を前後方向にスライドさせるための部材である。この実施形態では、スライド手段２０として、モーター２１とリニアガイド２２とスライダー２３を備えた既存の電動アクチュエータを用いている。スライド手段２０には、電動アクチュエータ以外のものを用いることもできる。図２に示すように、モーター２１はモーター架台１５ａに取り付けられ、スライダー２３はブロック取付け材１１ｆに取り付けられている。アクチュエータには図示しない電源コードやコントローラが接続され、当該コントローラによってスライダー２３の移動や停止を操作できるようにしてある。
【００２７】
前記座３０は使用者が座る部分であり、下枠部１２がクッション材と被覆材で被覆されて構成されている。被覆材には本革や合成皮革、布材などを、クッション材には既存のウレタンなどを用いることができる。
【００２８】
この実施形態の座３０は、図４に示すように、使用者が座る平坦な座面部３１と座面部３１よりも後方に突出する突出部３２を備えている。突出部３２の端部には、伸縮性を有する連結材３３が取り付けられている。連結材３３には、たとえば、伸縮性を有する水着素材等の機能性布などを用いることができる。連結材３３は背枠部１４のパイプ材１３ｅの上方を通過して、その先端部が背枠部１４の前端架設板１４ｂに固定されている。
【００２９】
前記突出部３２は可撓性を備え、座３０が後方に下がった位置にあるときは背凭れ４０の下方の背内部空間１４ｄに丸まった状態で収まり、前記座３０が前方にスライドすると前記背内部空間１４ｄから引き出されて次第に平坦になるようにしてある。背内部空間１４ｄから引き出された突出部３２は、座面部３１の一部として利用することができる。
【００３０】
前記背凭れ４０は使用者が背中から頭部を凭れかける部分であり、背枠部１４がクッション材と被覆材とで被覆されて構成されている。被覆材には本革や合成皮革、布材などを、クッション材には既存のウレタンなどを用いることができる。
【００３１】
この実施形態の背凭れ４０は、固定式の背凭れ（以下「固定背凭れ」という）４１の上面側に可動式の背凭れ（以下「可動背凭れ」という）４２を備えている。可動背凭れ４２は、後方に倒伏した位置（以下「倒伏位置」という）から固定背凭れ４１に対して略垂直となる位置（以下「起立位置」という）まで立ち上げられ、起立位置から倒伏位置まで倒せるようにしてある。
【００３２】
前記袖５０は使用者が腕を載せるいわゆるひじ掛けの部分である。袖５０には、フレームの外側にクッション材や被覆材が設けられたものを用いることができる。クッション材には既存のウレタンなどを、被覆材には本革や合成皮革、布材などを用いることができる。袖５０は着脱可能な構成とすることができる。袖５０は必要に応じて設ければよく、不要な場合には省略することもできる。
【００３３】
この実施形態では、ソファが二人掛けのソファの場合を一例としているが、本発明のソファは、一人掛けソファや三人掛けソファなど、二人掛け以外のソファであってもよい。複数人掛けのソファとする場合、すべての座３０をスライド式とすることもできるが、一部だけをスライド式とすることもできる。
【００３４】
また、複数人掛けのソファとする場合、結合手段を備えた一人掛けソファを複数用意し、それらを結合して複数人掛けのソファに組み立てられるようにすることができる。このようにした場合、運送時にはソファを一人掛け単位に分離することによって運送コストを下げることができる。複数人掛けのソファは分離できない一体物として構成することもできる。
【００３５】
（その他の実施形態）
前記実施形態では、座３０を電動アクチュエータによってスライドさせる場合を一例としているが、座３０は手動でスライドさせられるような構成にしてもよい。手動でスライドさせられる構造としては、たとえば、図７（ａ）（ｂ）〜図１０（ａ）（ｂ）に示すような構造がある。なお、以下では、前記実施形態と異なる部分を中心に説明し、前記実施形態と共通する事項については、その説明を適宜省略することとする。
【００３６】
図７（ａ）（ｂ）に示すソファは二人掛けソファである。図７（ａ）に示すように、下枠部１２は、前フレーム１２ｉと、後フレーム１２ｊと、二枚のベース外部材１２ｋ（図７（ａ）では手前側のベース外部材１２ｋのみ示している）を備えている。前フレーム１２ｉと後フレーム１２ｊの間には、幅方向に間隔をあけて二つの嵌合レール６１が設けられ、両嵌合レール６１の内側には、嵌合凹部６２ａを備えた受け材６２が間隔をあけて設けられている。
【００３７】
図７（ｂ）に示すように、座３０の底面の前方側には横長の取付け座６４が設けられ、当該取付け座６４に移動用のキャスタ６５が間隔をあけて二つ（図７（ｂ）では手前側のキャスタ６５のみ示している）設けられている。取付け座６４の後方側には、嵌合レール６１に嵌合する嵌合溝６３ａを備えた溝レール６３が嵌合レール６１と等間隔で二列（図７（ｂ）では手前側の溝レール６３のみ示している）設けられている。嵌合レール６１と溝レール６３は、座３０の左右方向の位置ずれを防止するためのガイド機構として機能する。
【００３８】
座３０の底面側であって二本の溝レール６３の内側には、当該嵌合凹部６２ａに嵌入する嵌入ピン６６が設けられている。この実施形態では、前後方向に間隔をあけて三本（図７（ｂ）では手前側の二本のみ示している）突設されている。嵌入ピン６６は一本や二本あるいは四本以上でもよい。嵌合凹部６２ａと嵌入ピン６６は座３０の停止機構として機能する。
【００３９】
図７（ａ）（ｂ）に示すソファでは、キャスタ６５によって座３０をスムーズに引き出すことができ、相互に嵌合する嵌合レール６１と溝レール６３の作用によって座３０の横ブレが規制される。
【００４０】
また、図７（ａ）（ｂ）に示すソファでは、前方に引き出された（スライドした）座３０の底面の嵌入ピン６６が嵌入凹部６２ａに嵌入することで座３０がその位置で停止するようにしてある。座３０を更に引き出したいときは、座３０の前方側を持ち上げて嵌入ピン６６を嵌合凹部６２ａから外して前方に移動させればよい。前方にスライドさせた座３０を後方に戻したいときは、座３０の前方側を少し持ち上げて嵌入ピン６６を嵌合凹部６２ａから外してから後方に押し込めばよい。
【００４１】
図７（ａ）（ｂ）に示す例では、嵌合レール６１を下枠部１２側に、溝レール６３を座３０側に設ける場合を一例としているが、嵌合レール６１を座３０側に、溝レール６３を下枠部１２側に設けることもできる。
【００４２】
図７（ａ）（ｂ）に示す例では、嵌合凹部６２ａと嵌入ピン６６を備えた停止機構を一つ設ける場合を一例としているが、この停止機構は、座３０の幅方向に間隔をあけて二以上設けることもできる。
【００４３】
手動でスライドさせられる構造としては、図８（ａ）（ｂ）のような構造を採用することもできる。図８（ａ）（ｂ）に示すソファは、下枠部１２側に雄レール７１が設けられ、座３０側の底面に当該雄レール７１に嵌合する雌レール７２が設けられている。雄レール７１は下枠部１２の幅方向両外寄りの位置に、雌レール７２は座３０の幅方向両外寄りの位置に設けられている。雄レール７１は雌レール７２の間隔と等間隔で設けられている。
【００４４】
座３０の底面の前方部分には取付け台７３が設けられ、当該取付け台７３に前後方向に回転するキャスタ７４が設けられている。取付け台７３の正面及び両側面にはカバー７５が取り付けられ、キャスタ７４の上部が隠れるようにしてある。
【００４５】
図８（ａ）（ｂ）に示すソファでは、キャスタ７４によって座３０をスムーズに引き出すことができ、相互に嵌合する雄レール７１と雌レール７２の作用によって座３０の横ブレを規制することができる。なお、この実施形態では、雄レール７１を下枠部１２側に、雌レール７２を座３０側に設ける場合を一例としているが、雄レール７１を座３０側に、雌レール７２を下枠部１２側に設けることもできる。
【００４６】
下枠部１２と座枠部１１には、座３０を所望位置にロックして停止させ、ロックを解除してスライド可能とするストッパー７６を設けることもできる。図８（ａ）（ｂ）に示すストッパー７６は、ブラケット７６ａと、軸７６ｂと、スプリング７６ｃと、ハンドル７６ｄと、操作アーム７６ｅと、中継板７６ｆと、アジャストシャフト７６ｇと、連結板７６ｈと、押し板７６ｉと、支持板７６ｊと、支持軸７６ｋと、復帰用スプリング７６ｍを備えている。
【００４７】
図８（ａ）（ｂ）に示すように、前記ブラケット７６ａは座枠部１１の固定板１１ｎに固定され、軸７６ｂはそのブラケット７６ａの対向板を貫通した状態で下枠部１２のベース前部材１２ａとベース後部材１２ｂの間に配置固定されている。スプリング７６ｃはブラケット７６ａの対向板の間で軸７６ｂの外周に巻付けてある。スプリング７６ｃは軸７６ｂの外周面に密接固定するように巻付けて軸７６ｂをロックするようにしてある。
【００４８】
この実施形態のスプリング７６ｃは、一方の端部（固定端）をブラケット７６ａに固定し、他方の端部（自由端）をブラケット７６ａの外側に横向きに突出させてある。自由端が上方に押し上げられるとスプリング７６ｃの巻きが緩み、スプリング７６ｃが軸７６ｂの外周面から離れてスプリング７６ｃのロックが解除される。自由端側の押し上げが解除されるとスプリング７６ｃの巻きが戻り、スプリング７６ｃが軸７６ｂの外周面に密着して軸７６ｂがロックされるようにしてある。
【００４９】
前記押し板７６ｉは座枠部１１の固定板１１ｎから下方に突設した支持板７６ｊに支持軸７６ｋにより回動可能に取付けられている。押し板７６ｉには縦長の連結板７６ｈを溶接して上方に立ち上げてある。
【００５０】
操作アーム７６ｅはその後端部が中継板７６ｆの一端に係止され、前端部が座枠部１１の前端に取付けられたハンドル７６ｄに連結されている。中継板７６ｆの他端には一端が前記連結板７６ｈに係止されたアジャストシャフト７６ｇの他端がナット止めされている。ナットを回転させてその位置を変えることによって、操作アーム７６ｅの引き代を微調整することができる。ハンドル７６ｄは板状であり、その上部が枠体１０の内側に固定されたブラケットに取付けられ、下端側を前後方向（図９（ａ）の矢印Ａ−Ｂ方向）に回動させられるようにしてある。
【００５１】
図９（ａ）〜（ｃ）に示すように、このストッパー７６は、ハンドル７６ｄを前方に引くと、ハンドル７６ｄに連結されている操作アーム７６ｅが前方に引かれ、それにより連結板７６ｈの上端部が前方に引かれて押し板７６ｉが支持軸７６ｋを軸として手前側に回動（前傾）する。押し板７６ｉの前傾によってスプリング７６ｃの自由端が上方に押し上げられるとスプリング７６ｃの巻きが緩み、スプリング７６ｃによる軸７６ｂのロックが解除されて、座３０をスライドさせられるようになる。
【００５２】
一方、前方に引いたハンドル７６ｄの操作を解除すると、操作アーム７６ｅが復帰用スプリング７６ｍで引き戻され、それにより連結板７６ｈの上端部が後方に戻り、押し板７６ｉが支持軸７６ｋを軸として後方に回動し、操作前の位置に復帰する。押し板７６ｉが復帰すると、押し板７６ｉによるスプリング７６ｃの自由端の押し上げが解放され、スプリング７６ｃの巻きが復帰してスプリング７６ｃが軸７６ｂの外周面に密着し、軸７６ｂがロックされて座３０が停止する。
【００５３】
手動でスライドさせられる構造としては、図１０（ａ）（ｂ）のような構造を採用することもできる。図１０（ａ）（ｂ）に示すソファは、下枠部１２側に二本のガイドレール８１が設けられ、座３０側に当該ガイドレール８１上を移動するローラー８２が設けられている。各ガイドレール８１の上面には凹陥状の嵌合部８１ａが間隔をあけて複数個（図示する例では三つ）設けられている。座３０には、側面視横向きコ字状のアーム８３が二本設けられ、各アーム８３の下側の先端にはキャスタ８４が設けられている。
【００５４】
図１０（ａ）（ｂ）に示すソファは、接地するキャスタ８４及びガイドレール８１上を移動するローラー８２によって座３０をスムーズに引き出すことができる。座３０を前方へ向けてスライドさせると、ローラー８２がガイドレール８１の上面を移動し、移動方向直近の嵌合部８１ａに嵌合したところで停止する。座３０を前方に更にスライドさせると、当該嵌合部８１ａを抜け出してガイドレール８１の上面を更に前方へ移動し、次の嵌合部８１ａに嵌合したところで停止する。この操作は、座３０の先端側を手で持って前方へ引き出すほか、座３０の上に座った状態で腰を前後へ動かすことによって行うこともできる。なお、引き出した座３０を後方へ戻したいときは、これと逆の動きをすればよい。
【００５５】
前記各実施形態の構成は一例であり、各実施形態で採用した構成は適宜他の実施形態の構成として採用することができる。また、各実施形態の構成はすべてが必須の構成ではなく、不要な構成は適宜省略することができる。本発明は、前記実施形態の構造及び形状のものに限定されるものではなく、その要旨を逸脱しない限りにおいて種々の変形、変更が可能である。
【００５６】
（動作）
本発明のソファの動作を、図面を参照して説明する。
（１）図５（ａ）は座３０が最後方まで下がった状態を示すものである。この状態では、座３０の突出部３２は連結材３３で上方に引き上げられ、丸まった状態で背内部空間１４ｄに収まっている。
（２）図５（ｂ）は図５（ａ）の状態から座３０を前方に半分程度スライドさせた状態を示すものである。この状態では、座３０の前方へのスライドに伴って丸まった状態の突出部３２が引き出される。このとき、座３０の前方へのスライドに伴って座３０の背面側に収容された突出部サポート１１ｉが所定位置まで後傾する。
（３）図５（ｃ）は図５（ｂ）の状態からさらに座３０を前方にスライドさせ、最前方までスライドさせた状態を示すものである。この状態では、突出部３２が完全に引き出され、平坦な座面部３１と突出部３２とがフラットになる。このとき、所定位置で待機している突出部サポート１１ｉの頭部で突出部３２が支持される。
【００５７】
このように、この実施形態のソファは、突出部３２が図５（ｃ）のように座面部３１とフラットになる位置まで座３０を前方へスライドさせることによって、図６（ａ）（ｂ）のように、踵まで載せられる奥行長の座面とすることができる。また、図５（ａ）のように座を最後方までスライドさせることによって、座面をコンパクトにすることができる。
【産業上の利用可能性】
【００５８】
本発明のソファは、一人掛けソファや複数人掛けのソファとして広く利用することができる。
【符号の説明】
【００５９】
１０    枠体
１１    座枠部
１１ａ  前板
１１ｂ  側板
１１ｃ  後方板
１１ｄ  前ローラー
１１ｅ  ローラー取付け材
１１ｆ  ブロック取付け材
１１ｇ  Ｓバネ（スプリング）
１１ｈ  後ろローラー
１１ｉ  支持材（突出部サポート）
１１ｊ  ブラケット
１１ｋ  スプリング
１１ｍ  後ろ板
１１ｎ  固定板
１２    下枠部
１２ａ  ベース前部材
１２ｂ  ベース後部材
１２ｃ  ベース中部材
１２ｄ  ガイドレール
１２ｅ  レールカバー
１２ｆ  取付けフランジ
１２ｇ  取付け座
１２ｈ  アジャスタ
１２ｉ  前フレーム
１２ｊ  後フレーム
１２ｋ  ベース外部材
１３    縦枠部
１３ａ  抜き孔
１３ｂ  下連結部
１３ｃ  上連結部
１３ｄ  後面部取付け部
１３ｅ  パイプ材
１３ｆ  軸ピン
１４    背枠部
１４ａ  背枠側部板
１４ｂ  前端架設板
１４ｃ  背枠上面板
１４ｄ  背内部空間
１４ｅ  ヒンジ金具
１４ｆ  可動枠
１５    後面部
１５ａ  モーター架台
１６    ストッパー
１６ａ  取付け面
１６ｂ  支持面
２０    スライド手段
２１    モーター
２２    リニアガイド
２３    駆動ブロック（スライダー）
３０    座
３１    座面部
３２    突出部
３３    連結材
４０    背凭れ
４１    背凭れ（固定背凭れ）
４２    背凭れ（可動背凭れ）
５０    袖
６１    嵌合レール
６２    受け材
６２ａ  嵌合凹部
６３    溝レール
６３ａ  嵌合溝
６４    取付け座
６５    キャスタ
６６    嵌入ピン
７１    雄レール
７２    雌レール
７３    取付け台
７４    キャスタ
７５    カバー
７６    ストッパー
７６ａ  ブラケット
７６ｂ  軸
７６ｃ  スプリング
７６ｄ  ハンドル
７６ｅ  操作アーム
７６ｆ  中継板
７６ｇ  アジャストシャフト
７６ｈ  連結板
７６ｉ  押し板
７６ｊ  支持板
７６ｋ  支持軸
７６ｍ  復帰用スプリング
８１    ガイドレール
８１ａ  嵌合部
８２    ローラー
８３    アーム
８４    キャスタ
【要約】      （修正有）【課題】背凭れを厚くすることなく、座の奥行長を深くすることができるソファを提供する。【解決手段】背凭れ４０と前後にスライドする座３０とを備えたソファであり、座３０は座面部と当該座面部よりも後方に突出する突出部を備え、背凭れ４０と突出部とが伸縮性を備えた連結材で連結されている。突出部は、座３０が後方に下がった位置にあるときは背凭れ４０の内部に形成された背内部空間に収まり、座３０が前方にスライドすると背内部空間から引き出され、背内部空間から引き出された突出部を座面部の一部として利用することができる。【選択図】図１【図１】
0006844802.tif 000002
【図２】
0006844802.tif 000003
【図３】
0006844802.tif 000004
【図４】
0006844802.tif 000005
【図５】
0006844802.tif 000006
【図６】
0006844802.tif 000007
【図７】
0006844802.tif 000008
【図８】
0006844802.tif 000009
【図９】
0006844802.tif 000010
【図１０】
0006844802.tif 000011